(57)【要約】【課題】吐水された水が飛散するのを抑止できる手洗装置を提供する。【解決手段】手洗装置１０は、鉢部６０と、鉢部６０に向けて吐水する吐水装置３０と、吐水された水を便器洗浄タンクに排水する排水部６２と、を備える。鉢部６０は、鉢部本体６６と、当該鉢部本体６６と前記排水部６２とを接続する接続部６８と、を含む。接続部６８の内周面６８ａは、鉢部本体６６の底面６６ａより下側、かつ、排水部６２の内周面６２ａの上端より外側に位置する水受面を有し、鉢部６０および吐水装置３０は、吐水装置３０から吐水される水が水受面に落下するよう構成される。【選択図】図４
2017119988.tif 000002
【特許請求の範囲】
【請求項１】
鉢部と、
前記鉢部に向けて吐水する吐水装置と、
吐水された水を便器洗浄タンクに排水する排水部と、を備え、
前記鉢部は、鉢部本体と、当該鉢部本体と前記排水部とを接続する接続部と、を含み、
前記接続部の内周面は、前記鉢部本体の底面より下側、かつ、前記排水部の内周面の上端より外側に位置する水受面を有し、
前記鉢部および前記吐水装置は、前記吐水装置から吐水される水が前記水受面に落下するよう構成されることを特徴とする手洗装置。
【請求項２】
前記接続部の内周面は、その全体が、前記鉢部本体の底面より下側、かつ、前記排水部の内周面の上端より外側に位置することを特徴とする請求項１に記載の手洗装置。
【請求項３】
前記水受面は、前記鉢部本体と前記排水部とに連続する傾斜面であることを特徴とする請求項１または２に記載の手洗装置。
【請求項４】
前記水受面は、前記接続部の内周面の前側部分を含み、
前記吐水装置は、前記接続部より後方に位置することを特徴とする請求項３に記載の手洗装置。
【請求項５】
前記接続部の内周面は、その全体が、下にいくにしたがって窄むように傾斜していることを特徴とする請求項１から４のいずれかに記載の手洗装置。
【請求項６】
前記水受面は、前記接続部の内周面の前側部分を含み、
前記前側部分は、前記接続部の内周面の他の部分よりも、水平面に対する傾斜が急であることを特徴とする請求項５に記載の手洗装置。
【請求項７】
前記排水部の内周面の上端の幅は、前記吐水装置から吐水される水の幅よりも小さいことを特徴とする請求項１から６のいずれかに記載の手洗装置。
【請求項８】
前記接続部の内周面の上端の幅は、前記吐水装置から吐水される水の幅よりも大きいことを特徴とする請求項１から７のいずれかに記載の手洗装置。
【請求項９】
便器と、
前記便器を洗浄するための洗浄水を貯水する便器洗浄タンクと、
前記便器洗浄タンクに排水する請求項１から４のいずれかに記載の手洗装置と、を備えることを特徴とする便器装置。
【発明の詳細な説明】
【技術分野】
【０００１】
本発明は、手洗装置および手洗装置を備える便器装置に関する。
【背景技術】
【０００２】
手洗装置が搭載された便器装置が知られている。手洗装置は、通常、水を吐水する吐水装置と、吐水された水が落下する鉢部と、鉢部に落下した水を便器洗浄タンクに排水する排水部と、を備える。特許文献１には、ストレート吐水やシャワー吐水する吐水装置を備える手洗装置が提案されている。
【先行技術文献】
【特許文献】
【０００３】
【特許文献１】実開平５−６７６７６号公報
【発明の概要】
【発明が解決しようとする課題】
【０００４】
手洗装置では、鉢部に落下した水が跳ね返って鉢部の外に飛散することがある。
【０００５】
本発明はこうした状況に鑑みてなされたものであり、その目的は、吐水された水が飛散するのを抑止できる手洗装置を提供することにある。
【課題を解決するための手段】
【０００６】
上記課題を解決するために、本発明のある態様の手洗装置は、鉢部と、鉢部に向けて吐水する吐水装置と、吐水された水を便器洗浄タンクに排水する排水部と、を備える。鉢部は、鉢部本体と、当該鉢部本体と排水部とを接続する接続部と、を含む。接続部の内周面は、鉢部本体の底面より下側、かつ、排水部の内周面の上端より外側に位置する水受面を有する。鉢部および吐水装置は、吐水装置から吐水される水が水受面に落下するよう構成される。
【０００７】
なお、以上の構成要素の任意の組み合わせや、本発明の構成要素や表現を方法、装置、システムなどの間で相互に置換したものもまた、本発明の態様として有効である。
【発明の効果】
【０００８】
本発明によれば、吐水された水が飛散するのを抑止できる手洗装置を提供できる。
【図面の簡単な説明】
【０００９】
【図１】実施の形態に係る手洗装置が用いられる便器装置を示す斜視図である。
【図２】図１の便器装置の給水系の一部を模式的に示す構成図である。
【図３】図１の手洗装置の上面図である。
【図４】図３のＡ−Ａ線断面図である。
【図５】図３のＢ−Ｂ線断面図である。
【発明を実施するための形態】
【００１０】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
実施の形態に係る手洗装置に得るに至った経緯を説明する。
手洗装置では、鉢部に落下した水が跳ね返って鉢部の外に飛散することがあり、これを抑止することが求められる。ストレート吐水では、吐水される水の幅が比較的狭いため、鉢部の底部に落下させることなく、吐水される水の大半を排水部に落下させることができる。この場合、鉢部で跳ね返らないため、飛散が抑止される。シャワー吐水では、吐水される水の幅が比較的広いため、基本的には、吐水される水の大半を排水部に落下させることができない。シャワー吐水で吐水される水の幅に合わせて排水部の幅を大きくすれば、鉢部の底部に落下させることなく、吐水される水の大半を排水部に落下させることができるが、排水部の幅が大きくなると手洗装置としての見栄えが悪くなり、また比較的大きな異物が手洗装置内に混入しうる。以上より、本発明者らは、実施の形態に係る発明を得るに至った。
【００１２】
図１は、実施の形態に係る手洗装置１０が用いられる便器装置１２を示す斜視図である。便器装置１２は、便器１４と、ケーシング１６と、便器洗浄タンク（以下、単にタンクという）１８と、手洗装置１０と、を備える。タンク１８は、便器１４の便鉢（不図示）の洗浄に利用する洗浄水を貯水する。ケーシング１６は、タンク１８等を収容する。タンク１８およびケーシング１６は、便器１４に載置される。手洗装置１０は、いわゆる水栓装置であり、ケーシング１６の上端の開口１６ａを塞ぐようケーシング１６に取り付けられる。
【００１３】
図２は、便器装置１２の給水系の一部を模式的に示す構成図である。便器装置１２は、タンク給水路２０と、分岐給水路２２と、ボールタップ２４と、を備える。手洗装置１０は、吐水装置３０を備える。
【００１４】
タンク給水路２０は、タンク１８に給水するための水路である。タンク給水路２０にはボールタップ２４が設置される。ボールタップ２４は、タンク１８内の水位に連動してタンク給水路２０を開閉する。タンク１８内の洗浄水が所定水位を下回るとボールタップ２４が開弁し、タンク給水路２０の下流端部２０ａからタンク１８内に給水される。タンク１８内の洗浄水が所定水位以上になるとボールタップ２４が閉弁し、タンク給水路２０からタンク１８内への給水が停止する。
【００１５】
分岐給水路２２は、タンク給水路２０から分岐する流路であって、吐水装置３０に給水するための水路である。分岐給水路２２は、ボールタップ２４の下流側においてタンク給水路２０から分岐している。したがって、分岐給水路２２から吐水装置３０への給水およびその停止も、タンク１８の水位に連動して切り替えられる。
【００１６】
図３は、手洗装置１０の上面図である。図４は、図３のＡ−Ａ線断面図である。図５は、図３のＢ−Ｂ線断面図である。手洗装置１０は、手洗器２６と、給水管２８と、をさらに備える。給水管２８は、前述の分岐給水路２２の一部を構成する。給水管２８は、手洗器２６の鉢部６０（後述）の後ろ側に配置される。
【００１７】
手洗器２６は、合成樹脂、セラミックス等により形成される。手洗器２６は、鉢部６０と、排水部６２と、外周壁部６４と、を含む。外周壁部６４は、鉢部６０を外周側から囲むよう鉢部本体６６（後述）の上端縁部から下方に延びる。排水部６２は、上下に延びる筒状の部材であり、鉢部６０が受けた水をタンク１８（図３〜５では不図示）に排水する。
【００１８】
鉢部６０は、吐水装置３０から吐水される水を受ける。鉢部６０は、鉢部本体６６と、接続部６８と、を含む。鉢部本体６６は、主に、手洗い時にユーザの手から滴り落ちる水や、吐水が終わる間際の吐水装置３０からの勢いが弱まった水を受ける。
【００１９】
接続部６８は、鉢部本体６６と排水部６２とを接続する。接続部６８は、環状の内周面６８ａを有する。接続部６８の内周面６８ａは、鉢部本体６６の緩やかに傾斜する底面６６ａと排水部６２の内周面６２ａとに連続する。
【００２０】
接続部６８は、内周面６８ａの全体が、鉢部本体６６の底面６６ａより下側、かつ、排水部６２の内周面６２ａの上端より外側に位置するよう設けられる。接続部６８の内周面６８ａは特に、排水部６２の上端にいくにしたがって（すなわち下にいくにしたがって）窄むように滑らかに傾斜している。つまり、内周面６８ａは、実質的に水平な部分を有しない。また、接続部６８の内周面６８ａは底面６６ａよりも急な傾斜となっている。また、接続部６８は、後述するような横長の吐水に合わせて、平面視において（すなわち上から見た場合において）、横長な形状になっている。
【００２１】
接続部６８の内周面６８ａの前側部分６８ｂは、水平面に対する傾斜が、内周面６８ａの他の部分である左右側部分６８ｃや後側部分６８ｄの水平面に対する傾斜と同じかそれ以上になるよう構成される。たとえば、内周面６８ａの前側部分６８ｂの水平面に対する角度は６０°以上で、内周面６８ａの左右側部分６８ｃや後側部分６８ｄの水平面に対する角度は３０°〜６０°であってもよい。この場合、吐水装置３０から吐水される水の前側部分６８への入射角は比較的大きくなる。
【００２２】
吐水装置３０は、鉢部本体６６の後壁部６６ｂの上部に取り付けられる。吐水装置３０（特にその複数の吐水口３０ａ）は、接続部６８よりも後方に位置しており、前方に向けて横長のシャワー状に吐水する。複数の吐水口３０ａは、それら複数の吐水口３０ａから吐水された水が広がらないように、すべて同じ方向を向いている。本実施の形態では、吐水装置３０および鉢部６０は、吐水装置３０から吐水される水の大半が接続部６８の内周面６８ａの前側部分６８ｂに落下するように構成される。
【００２３】
図４では、吐水装置３０から吐水される水が落下する部分を点線で囲って示している。図４の例では、吐水された水の大半が接続部６８の内周面６８ａの前側部分６８ｂに落下し、吐水された水の一部が内周面６８ａの左右側部分６８ｃに落下し、吐水された水の他の一部が排水部６２に直接落下している。つまり、図４の例では、前側部分６８ａおよび左右側部分６８ｃは、吐水装置３０から吐水された水を受ける水受面として機能している。なお、給水管２８から供給される水の圧力が低い場合など吐水装置３０から吐水される水の勢いが弱い場合、図４の点線よりも後方に下がった位置に水が落下し、内周面６８ａの全周が水を受ける。
【００２４】
接続部６８の内周面６８ａの環状の上端縁の幅は、吐水される水の大半または全部を受けられるように、吐水されるシャワー状の水の幅（少なくとも着地時の水の幅）よりも大きくなっている。別の言い方をすると、平面視した場合、水が落下する部分は、接続部６８の内周面６８ａの環状の上端縁に囲まれている。一方、排水部６２の内周面６８ａは、吐水されるシャワー状の水の幅よりも小さくなっている。
【００２５】
以上説明した本実施の形態に係る手洗装置１０によると、吐水装置３０および鉢部６０は、吐水装置３０から吐水された水が接続部６８の内周面６８ａに落下するよう構成される。また、内周面６８ａは、下にいくにしたがって窄むように傾斜している。したがって、吐水装置３０から吐水される水が接続部６８に落下したときの入射角は比較的大きくなる。そのため、吐水装置３０から吐水された水が鉢部６０に落下したときに鉢部に跳ね返って飛散するのが抑止される。
【００２６】
また、本実施の形態に係る手洗装置１０によると、接続部６８により飛散を抑止するため、排水部６２の幅を比較的小さい幅（たとえば従来の手洗装置１０と同程度の幅）にできる。したがって、良好な見栄えを維持でき、また大きな異物が混入するのを抑止できる。
【００２７】
また、本実施の形態に係る手洗装置１０によると、接続部６８の内周面６８ａは下にいくにしたがって窄むように傾斜している。すなわち、接続部６８の内周面６８ａは、実質的に水平な部分を有しない。したがって、接続部６８には水溜まりができない。水溜まりに水が落下すると比較的大きく水が跳ね返るところ、本実施の形態に係る手洗装置１０によると、これが抑止される。
【００２８】
以上、実施の形態に係る手洗装置について説明した。この実施の形態は例示であり、その各構成要素の組み合わせにいろいろな変形例が可能なこと、またそうした変形例も本発明の範囲にあることは当業者に理解されるところである。
【００２９】
（変形例１）
実施の形態では、接続部６８の内周面６８ａの全体が、鉢部本体６６の底面６６ａより下側、かつ、排水部６２の内周面６２ａの上端より外側に位置するよう設けられる場合について説明したが、これに限られない。たとえば接続部６８は、内周面６８ａの前側部分６８ｂだけが鉢部本体６６の底面６６ａより下側、かつ、排水部６２の内周面６２ａの上端より外側に位置するよう設けられてもよい。
【００３０】
また、接続部６８は、内周面６８ａの後側部分６８ｄが、内周面６８ａの他の部分（すなわち内周面６８ａの前側部分６８ｂや左右側部分６８ｃ）よりも、水平面に対する傾斜が急になるよう構成されてもよい。また、接続部６８は、内周面６８ａの後側部分６８ｃだけが鉢部本体６６の底面６６ａより下側、かつ、排水部６２の内周面６２ａの上端より外側に位置するよう設けられてもよい。これらの場合、吐水装置３０および鉢部６０は、吐水装置３０から吐水される水が内周面６８ａの後側部分６８ｄに向けて吐水されるよう構成されてもよい。つまり、内周面６８ａの後側部分６８ｄが水受面として機能してもよい。
【００３１】
また、実施の形態では、接続部６８の内周面６８ａは、下にいくにしたがって窄むように滑らかに傾斜している場合について説明したが、これに限られない。たとえば、内周面６８ａは、屈曲部を有していてもよい。たとえば、内周面６８ａの鉛直断面における形状が略Ｌ字状であってもよい。
【００３２】
まとめると、接続部６８の内周面６８ａは、少なくとも、吐水装置３０から吐水される水が直接落下する部分が、鉢部本体６６の底面６６ａより下側、かつ、排水部６２の内周面６２ａの上端より外側に位置するよう設けられればよい。本変形例に係る手洗装置によれば、実施の形態に係る手洗装置１０によって奏される作用効果と同様の作用効果が奏される。
【００３３】
（変形例２）
実施の形態では、吐水装置３０は、シャワー吐水する場合について説明したが、これに限られない。たとえば吐水装置３０は、シャワー吐水の代わりにストレート吐水するよう構成されてもよい。また、吐水装置３０は、シャワー吐水とストレート吐水とを切替可能に構成されていてもよい。
【００３４】
また、たとえば吐水装置３０は、シャワー吐水の代わりに、幅広で連続する滝状に吐水するよう構成されてもよい。この場合、吐水口３０ａは、滝状に吐水するべくスリット状に形成されてもよい。
【００３５】
以上、本発明を実施の形態をもとに説明した。この実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００３６】
以上の記載から、下記の発明が認識される。
本発明のある態様の手洗装置は、鉢部と、鉢部に向けて吐水する吐水装置と、吐水された水を便器洗浄タンクに排水する排水部と、を備える。鉢部は、鉢部本体と、当該鉢部本体と排水部とを接続する接続部と、を含む。接続部の内周面は、鉢部本体の底面より下側、かつ、排水部の内周面の上端より外側に位置する水受面を有する。鉢部および吐水装置は、吐水装置から吐水される水が水受面に落下するよう構成される。
【００３７】
この態様によると、吐水装置から吐水される水を受ける水受面は、鉢部本体の底面より下側、かつ、排水部の内周面の上端より外側に位置する。したがって、仮に水受面に落下した水が跳ねても、水受面を越えて鉢部本体の底面に飛散したり、鉢部本体の外側まで飛散したりするのが抑止される。また、水受面で水を受けるため、排水部の幅を比較的小さく（たとえば従来の手洗装置と同程度に）でき、手洗装置としての良好な見栄えを維持できる。
【００３８】
接続部の内周面は、その全体が、鉢部本体の底面より下側、かつ、排水部の内周面の上端縁より外側に位置してもよい。この場合、水の飛散をより一層抑止できる。
【００３９】
水受面は、鉢部本体と上端縁とに連続する傾斜面であってもよい。この場合、水が着水する部分には水溜まりができないため、水の飛散をより一層抑止できる。
【００４０】
水受面は、接続部の内周面の前側部分を含み、吐水装置は、接続部より後方に位置してもよい。
【００４１】
接続部の内周面は、その全体が、下にいくにしたがって窄むように傾斜していてもよい。この場合、接続部の内周面には水溜まりができないため、水の飛散をより一層抑止できる。
【００４２】
水受面は、接続部の内周面の前側部分を含み、前側部分は、接続部の内周面の他の部分よりも、水平面に対する傾斜が急であってもよい。この場合、水が接続部の内周面の前側部分に入射する角度が比較的大きくなるため、特に、水受面に落下した水が鉢部の手前側に跳ねるのが抑止される。その結果、水の飛散をより一層抑止できる。
【００４３】
排水部の内周面の上端の幅は、吐水装置から吐水される水の幅よりも小さい。
【００４４】
接続部の内周面の上端の幅は、吐水装置から吐水される水の幅よりも大きい。
【００４５】
本発明の別の態様は、便器装置である。この装置は、便器と、便器を洗浄するための洗浄水を貯水する便器洗浄タンクと、便器洗浄タンクに排水する上述のいずれかの手洗装置と、を備える。
【符号の説明】
【００４６】
１０  手洗装置、  １２  便器装置、  １４  便器、  １８  タンク、  ３０  吐水装置、  ６０  鉢部、  ６２  排水部、  ６２ａ  内周面、  ６６  鉢部本体、  ６６ａ  底面、  ６８  接続部、  ６８ａ  内周面、  ６８ｂ  前側部分。
【図１】
2017119988.tif 000003
【図２】
2017119988.tif 000004
【図３】
2017119988.tif 000005
【図４】
2017119988.tif 000006
【図５】
2017119988.tif 000007